(57)【特許請求の範囲】
【請求項１】
使用者が所望の室内温度を設定して空気調和機に入力する節電運転入力段階と、
前記入力された室内温度を複数の所定領域に区分する区分段階と、
前記区分された各領域に従って室内温度、室内風量、上下風向ベーン及び左右風向ベーンを自動的に制御する制御段階と、
前記制御された室内温度に対応する前記空気調和機の運転時間をチェックし、自動的に室内温度を上昇させる上昇段階と、
を順次行い、
前記区分段階では、 
使用者が設定した温度がT5（℃）と同様かまたは高いとき、第1領域として判断する段階と、
室内温度を測定して、その測定温度と前記使用者所望の設定温度との差に基づいて前記空気調和機の圧縮機の稼動可否を判断する段階と、
前記判断結果に基づいて、前記室内風量、上下風向ベーンの下降速度、上下風向ベーンの上昇速度及び左右風向ベーンの左右揺動速度を制御する段階と、
を順次行うことを特徴とする空気調和機の節電制御方法。
【請求項２】
前記稼動可否を判断する段階では、
前記室内温度が前記使用者所望の設定温度よりも0.5（℃）以上高いとき前記圧縮機を稼動し、前記室内温度が前記使用者所望の設定温度よりも0.5（℃）以下低いとき前記圧縮機を停止させることを特徴とする請求項１記載の空気調和機の節電制御方法。
【請求項３】
前記設定温度を低く設定するほど、前記空気調和機の稼動時間は長くなることを特徴とする請求項２記載の空気調和機の節電制御方法。
【請求項４】
前記室内温度は最高T5（℃）までに上昇が制限され、前記室内温度がT5（℃）に至ると、前記空気調和機は終了命令が入力されるまで自動的に運転を反復する段階がさらに含まれることを特徴とする請求項２記載の空気調和機の節電制御方法。
【請求項５】
使用者が所望の室内温度を設定して空気調和機に入力する節電運転入力段階と、
前記入力された室内温度を複数の所定領域に区分する区分段階と、
前記区分された各領域に従って室内温度、室内風量、上下風向ベーン及び左右風向ベーンを自動的に制御する制御段階と、
前記制御された室内温度に対応する前記空気調和機の運転時間をチェックし、自動的に室内温度を上昇させる上昇段階と、
を順次行い、
前記制御段階では、
前記空気調和機の圧縮機の稼働時には、前記室内風量を強風に制御し、前記上下風向ベーンの下降速度は上昇速度よりも2倍速く駆動させ、前記左右風向ベーンの揺動速度は同様になるように制御し、一方、前記圧縮機の停止時には、前記室内風量を弱風に制御し、前記上下風向ベーンの下降速度は上昇速度よりも2倍遅く駆動させ、前記左右風向ベーンの揺動速度は稼働時よりも3倍遅く揺動するように制御することを特徴とする空気調和機の節電制御方法。
【請求項６】
使用者が所望の室内温度を設定して空気調和機に入力する節電運転入力段階と、
前記入力された室内温度を複数の所定領域に区分する区分段階と、
前記区分された各領域に従って室内温度、室内風量、上下風向ベーン及び左右風向ベーンを自動的に制御する制御段階と、
前記制御された室内温度に対応する前記空気調和機の運転時間をチェックし、自動的に室内温度を上昇させる上昇段階と、
を順次行い、
前記区分段階では、
使用者所望の設定温度がT5（℃）より低く、T1（℃）よりも高いか同様であるとき、第2領域として判断する段階と、
室内温度を測定して、その測定温度と前記使用者所望の設定温度との差に基づいて前記空気調和機の圧縮機の稼動可否を判断する段階と、
前記判断結果に従って前記圧縮機を初期室内設定温度に対応する駆動時間の間運転し、前記室内風量、上下風向ベーンの下降速度、上下風向ベーンの上昇速度及び左右風向ベーンの左右揺動速度を制御する段階と、
前記駆動時間が終了すると、前記室内温度がT5（℃）になるまで室内設定温度を1（℃）ずつ上昇させて制御する段階と、
を順次行うことを特徴とする空気調和機の節電制御方法。
【請求項７】
使用者が所望の室内温度を設定して空気調和機に入力する節電運転入力段階と、
前記入力された室内温度を複数の所定領域に区分する区分段階と、
前記区分された各領域に従って室内温度、室内風量、上下風向ベーン及び左右風向ベーンを自動的に制御する制御段階と、
前記制御された室内温度に対応する前記空気調和機の運転時間をチェックし、自動的に室内温度を上昇させる上昇段階と、
を順次行い、
前記区分段階では、
使用者の設定した温度がT1（℃）よりも高いか同様であるとき、第3領域として判断する段階と、
室内温度を測定して、その測定温度と前記使用者所望の設定温度との差に基づいて前記空気調和機の圧縮機の稼動可否を判断する段階と、
前記圧縮機を稼動する場合は、初期室内設定温度を無条件T1（℃）に判断して、それに対応するた前記室内風量、上下風向ベーンの下降速度、上下風向ベーンの上昇速度及び左右風向ベーンの左右揺動速度を制御する段階と、
前記駆動時間が終了すると、前記室内温度がT5（℃）に至るまで室内設定温度を1（℃）ずつ上昇させて制御する段階と、
を順次行うことを特徴とする空気調和機の節電制御方法。
【請求項８】
前記圧縮機は、室内温度を低く制御するほど、該室内温度に該当する運転時間が長くなることを特徴とする請求項７記載の空気調和機の節電制御方法。
【請求項９】
使用者が所望の室内温度を設定して空気調和機に入力する節電運転入力段階と、
前記入力された室内温度を複数の所定領域に区分する区分段階と、
前記区分された各領域に従って室内温度、室内風量、上下風向ベーン及び左右風向ベーンを自動的に制御する制御段階と、
前記制御された室内温度に対応する前記空気調和機の運転時間をチェックし、自動的に室内温度を上昇させる上昇段階と、
を順次行い、
前記制御段階で、前記空気調和機が暖房運転を行う場合は、
前記圧縮機の稼動時には、前記上下風向ベーンの下向揺動速度を上向揺動速度よりも遅く駆動させ、前記圧縮機の停止時には、前記上下風向ベーンの下向揺動速度を上向揺動速度よりも速く駆動させることを特徴とする空気調和機の節電制御方法。
【発明の詳細な説明】
【０００１】
【発明の属する技術分野】
本発明は、空気調和機の節電制御方法に係るもので、詳しくは、空気調和機の上下風向装置及び左右風向装置の動作中に発生する気流渦流を調節することで、消費電力を節減し得る空気調和機の節電制御方法に関するものである。
【０００２】
【従来の技術】
一般に、空気調和機とは、冷凍サイクルから発生する冷／温空気を利用して室内の空気を快適に維持する装置を言い、前記冷凍サイクルは、冷媒の圧縮、凝縮、膨張及び蒸発を可逆的に実行することによって冷房及び暖房を行うようになっている。
【０００３】
そして、従来空気調和機の冷凍サイクルにおいては、図１５に示したように、冷媒の圧力を降下させる毛細管１０と、室内ファン１１と、液体状態の冷媒を気体状態に変換させる蒸発器１２と、冷媒を凝縮して気体状態を液体状態に変換させる凝縮機１３と、冷媒を圧縮する圧縮機１４と、により構成されていた。
【０００４】
以下、このように構成された従来の冷凍サイクルの動作を説明する。
【０００５】
先ず、使用者が空気調和機の運転キーを押すと圧縮機１４が稼働して冷媒が圧縮され、圧縮された冷媒は凝縮機１３により凝縮されて気体状態から液体状態に変換されながら熱を室外機に放出した後、毛細管１０により圧力が降下される。
【０００６】
次いで、圧力降下された冷媒は蒸発器１２により液体状態から気体状態に蒸発されながら該蒸発器１２の表面を冷やす一方、室内ファン１１から吸入された室内空気が冷たくなった前記蒸発器１２の表面を通過しながら熱交換を行うため、冷たい空気が室内に噴出されて室内の温度を低下させるようになっていた。
【０００７】
そして、このような冷凍サイクルが装着された空気調和機においては、図16に示したように、空気調和機の吸入部25と、液体を気体に変換して蒸発させる蒸発器23と、室内温度を感知して制御する室内吸入温度センサー24と、室内機ファン22と、前記空気調和機の冷凍サイクルから放出される冷房気流をそれぞれ上下方向及び左右方向に調節する上下風向ベーン21及び左右風向ベーン20と、から構成され、使用者が所望の温度を設定すると、前記空気調和機の吸入部25側の前記室内吸入温度センサー24が室内温度を測定し、該測定温度が前記使用者の設定温度の下限値よりも低いとき前記圧縮機14の稼動を中断させ、前記測定温度が前記設定温度の上限値よりも高いとき前記圧縮機14を稼動させる動作を反復しながら、室内温度は設定温度の上限値と下限値間を維持する。
【０００８】
次いで、このように前記圧縮機１４の動作により冷房気流が放出されると、前記上下風向ベーン２１及び左右風向ベーン２０の揺動により前記放出された冷房気流の方向が調節される。
【０００９】
このとき、従来の空気調和機から放出される冷房気流の室内分布状態においては、図１７に示したように、前記空気調和機の上下風向ベーン２１及び左右風向ベーン２０が揺動しない場合は、使用者が位置する居間だけでなく台所及び厨房を包含するすべての室内に気流が流れるため、場合によっては不必要な領域まで冷房が行われ、従って、前記居間の温度のみを設定温度まで低下させたいときは前記空気調和機の稼動時間が長く掛かってエネルギーが浪費される。
【００１０】
また、前記空気調和機は室内温度よりもかなり低くて冷たい放出空気を室内に送るため、必然的に上下温度差及び左右温度差が発生して在室者は不意に寒冷感を感じるという欠点がある。
【００１１】
そこで、前記上下温度差及び左右温度差を減少させるために、図１８（Ａ）（Ｂ）に示したように、上下方向オートスイング機能を利用して、所定周期で上下風向ベーン２１を上下方向に自動的に反復変化させて上下温度差を減少させ、または左右オートスイング機能を利用して、所定周期で左右風向ベーン２０を左右方向に自動的に反復変化させて左右温度差を減少させるようになっていた。
【００１２】
ここで、前記上下温度差とは、室内床面から０．ｌｍの地点と、室内床面から１．１ｍの地点との温度をそれぞれ測定してそれらの差を示し、前記左右温度差とは、室内床面から所定高さの水平平面上の温度分布中最大温度と最小温度との差を示したものである。
【００１３】
【発明が解決しようとする課題】
然るに、このような従来の空気調和機においては、上下方向オートスイング機能及び左右方向オートスイング機能が圧縮機の運転状態及び時間に拘わらず反復して行われて風向を調節するようになっているため、上下温度差及び左右温度差の低減を迅速に均一に行うには限界があるという不都合な点があった。
【００１４】
本発明は、このような従来の課題に鑑みてなされたもので、空気調和機の放出気流を近距離で制御することによって、設定温度に到達する時間を短縮して迅速にし、消費電力を減少し得る空気調和機の節電制御方法を提供することを目的とする。
【００１５】
また、本発明の他の目的は、空気調和機の上下方向の風向及び左右方向の風向と上下方向の温度差及び左右方向の温度差とを迅速に減少して均一化させると共に、空調環境に露出された時間をチェックして室内温度を自動的に制御して、在室者に快適な空調環境を提供し得る空気調和機の節電制御方法を提供することにある。
【００１６】
【課題を解決するための手段】
このような目的を達成するため、本発明に係る空気調和機の節電制御方法においては、使用者が所望の室内温度を設定して空気調和機に入力する節電運転入力段階と、入力された室内温度を複数の所定領域に区分する区分段階と、区分された各領域に従って室内温度、室内風量、上下風向ベーン及び左右風向ベーンを自動的に制御する制御段階と、制御された室内温度に対応する空気調和機の運転時間をチェックし、自動的に室内温度を上昇させる上昇段階と、を順次行い、
区分段階では、 
使用者が設定した温度がT5（℃）と同様かまたは高いとき、第1領域として判断する段階と、
室内温度を測定して、その測定温度と使用者所望の設定温度との差に基づいて空気調和機の圧縮機の稼動可否を判断する段階と、
判断結果に基づいて、室内風量、上下風向ベーンの下降速度、上下風向ベーンの上昇速度及び左右風向ベーンの左右揺動速度を制御する段階と、
を順次行うか、
制御段階では、
空気調和機の圧縮機の稼働時には、室内風量を強風に制御し、上下風向ベーンの下降速度は上昇速度よりも2倍速く駆動させ、左右風向ベーンの揺動速度は同様になるように制御し、一方、圧縮機の停止時には、室内風量を弱風に制御し、上下風向ベーンの下降速度は上昇速度よりも2倍遅く駆動させ、左右風向ベーンの揺動速度は稼働時よりも3倍遅く揺動するように制御するか、
稼動可否を判断する段階では、
室内温度が使用者所望の設定温度よりも0.5（℃）以上高いとき圧縮機を稼動し、室内温度が使用者所望の設定温度よりも0.5（℃）以下低いとき圧縮機を停止させるか、
区分段階では、
使用者所望の設定温度がT5（℃）より低く、T1（℃）よりも高いか同様であるとき、第2領域として判断する段階と、
室内温度を測定して、その測定温度と使用者所望の設定温度との差に基づいて空気調和機の圧縮機の稼動可否を判断する段階と、
判断結果に従って圧縮機を初期室内設定温度に対応する駆動時間の間運転し、室内風量、上下風向ベーンの下降速度、上下風向ベーンの上昇速度及び左右風向ベーンの左右揺動速度を制御する段階と、
駆動時間が終了すると、室内温度がT5（℃）になるまで室内設定温度を1（℃）ずつ上昇させて制御する段階と、
を順次行うか、
区分段階では、
使用者の設定した温度がT1（℃）よりも高いか同様であるとき、第3領域として判断する段階と、
室内温度を測定して、その測定温度と使用者所望の設定温度との差に基づいて空気調和機の圧縮機の稼動可否を判断する段階と、
圧縮機を稼動する場合は、初期室内設定温度を無条件T1（℃）に判断して、それに対応するた室内風量、上下風向ベーンの下降速度、上下風向ベーンの上昇速度及び左右風向ベーンの左右揺動速度を制御する段階と、
駆動時間が終了すると、室内温度がT5（℃）に至るまで室内設定温度を1（℃）ずつ上昇させて制御する段階と、
を順次行うか、
制御段階で、空気調和機が暖房運転を行う場合は、
圧縮機の稼動時には、上下風向ベーンの下向揺動速度を上向揺動速度よりも遅く駆動させ、圧縮機の停止時には、上下風向ベーンの下向揺動速度を上向揺動速度よりも速く駆動させることを特徴としている。
【００１７】
【発明の実施の形態】
以下、本発明の実施の形態について図面を用いて説明する。
【００１８】
本発明に係る空気調和機においては、図１に示したように、室内温度を感知する室内温度センサー部５０１と、圧縮機の運転状態を感知して室内の風向を制御する圧縮機運転状態感知部５０２と、室内温度制御時間をチェックする温度制御時間チェック部５０３と、室内ファン５０９を駆動する室内ファン駆動部５０５と、上下風向ベーン５１０を駆動する上下風向ベーン駆動部５０６と、左右風向ベーン５１１を駆動する左右風向ベーン駆動部５０７と、圧縮機５１２を駆動する圧縮機駆動部５０８と、予め設定された制御ロジックに従って前記室内ファン駆動部５０５、上下風向ベーン駆動部５０６、左右風向ベーン駆動部５０７及び圧縮機駆動部５０８をそれぞれ制御するマイクロコンピュータ（以下、マイコンと略称す）５０４と、により構成されている。
【００１９】
以下、このように構成された本発明に係る空気調和機の節電制御動作及び方法に対し、図面を用いて説明する。
【００２０】
図２〜図５は、本発明に係る空気調和機の節電制御方法として、上下及び左右風向ベーンを利用して制御する過程を示したフローチャートである。また、図１１（Ｂ）は、本発明に係る空気調和機の節電制御方法における節電制御タイムを示したテーブルであり、使用者が空気調和機の節電運転を選択した後、所望の室内温度を設定するが、このとき、その設定温度（Ｔｕ）は、１８〜３０℃の範囲内で１℃の単位に選択することができる。
【００２１】
即ち、図２、図３に示すように、使用者により節電運転が選択されると、節電タイマーが動作されると同時に、図１のマイコン５０４は使用者の設定温度を三つの領域に区分し、各領域に対応して前記空気調和機の稼動時間及び室内温度をチェックして、室内温度、風量、上下風向及び左右風向を自動的に制御する。
【００２２】
ここで、前記三つの領域とは設定温度（Ｔｕ）によって区分された領域で、第１領域は暖かい温度を好む人に対応する領域、第２領域は一般的な温度を好む人に対応する領域、第３領域はやや涼しい温度を好む人に対応する領域、をそれぞれ示したものである。
【００２３】
次いで、使用者が所望の室内温度を設定すると、前記マイコン５０４は設定された温度を判断して、前記設定温度がＴ５（℃）よりも大きいかまたは同じであるとき第１領域にて前記圧縮機５１２を稼動させ、前記設定温度がＴ５（℃）より小さくＴ１（℃）よりも大きいか同じであるとき第２領域にて前記圧縮機５１２を稼動させ、前記設定温度がＴ１（℃）よりも小さい場合は、第３領域にて前記圧縮機５１２を稼動させる。
【００２４】
（１）に示すように、例えば、使用者がＴ５（℃）と同じであるかまたは高い温度を選択した場合、前記マイコン５０４は、第１領域に対応するロジックで自動制御するために、前記空気調和機の室内熱交換器の前方側に付着された室内温度センサー部５０１を利用して室内の温度を測定し、測定された室内温度が設定温度（Ｔｕ）よりも０．５℃以上高いとき、設定温度に到達するまで前記圧縮機５１２を稼動させて、設定温度（Ｔ５）による稼動時間（ｔｉｍｅ５）の間、室内風量は強風にし、前記上下風向ベーン５１０の下降速度（Ｖｄ．ｏｎ）は１Ｖｄ．ｏｎ（ｂｐｓ）、前記上下風向ベーン５１０の上昇速度（Ｖｕ．ｏｎ）は０．５Ｖｕ．ｏｎ（ｂｐｓ）、且つ、前記左右風向ベーン５１１の揺動速度（Ｖｒ．ｏｎ）は３Ｖｒ．ｏｎにそれぞれ制御する（１１）。
【００２５】
このように前記空気調和機を稼動して室内の温度が前記設定温度（Ｔｕ）よりも０．５  ℃低下すると、前記圧縮機５１２の駆動を停止させる。
【００２６】
ここで、前記風量の速度を表す単位のｂｐｓ（Ｂｉｔ  Ｐｅｒ  Ｓｅｃｏｎｄ）は、ステッピングモータの制御単位であって、前記単位値が大きくなるほど、ステッピングモータに連結された前記上下及び左右風向ベーン５１０、５１１の揺動速度（Ｖｒ．ｏｎ）が速くなることを意味する。
【００２７】
即ち、前記上下風向ベーン５１０の上昇速度は下降速度よりも２倍遅く、前記左右風向ベーン５１１の揺動速度（Ｖｒ．ｏｎ）は、左側への揺動速度と右側への揺動速度とが同じで、前記圧縮機５１２が停止したときよりも３倍速く揺動する。
【００２８】
次いで、前記圧縮機５１２の駆動が停止すると、室内風量は弱風になり、前記上下風向ベーン５１０の下降速度（Ｖｄ、ｏｆｆ）は１Ｖｄ、ｏｆｆになり、前記上下方向ベーン５１０の上昇速度（Ｖｕ、ｏｆｆ）は２Ｖｄ、ｏｆｆになって、下降速度よりも２倍速く上昇する。また、前記左右風向ベーン５１１の揺動速度（Ｖｒ、ｏｆｆ）は１Ｖｒ．ｏｆｆであって、前記圧縮機５１２の稼動時の前記左右風向ベーン５１１の揺動速度３Ｖｒ、ｏｎよりも３倍遅く往復揺動する（１２）。
【００２９】
一方、（２）に示すように、前記設定温度（Ｔｕ）がＴｌ（℃）と同じであるかまたは大きく、Ｔ５（℃）よりも小さい場合は、第２領域に対応する節電運転に自動制御される。
【００３０】
即ち、前記空気調和機を前記第２領域の節電モードで稼働するための前記空気調和機の初期室内設定温度（Ｔｃ）は前記設定温度（Ｔｕ）により制御されるため、前記圧縮機５１２の稼働により、室内風量は強風に制御され、前記上下風向ベーン５１０の下降速度（Ｖｄ、ｏｎ）は１Ｖｄ、ｏｎ（ｂｐｓ）で、前記上下風向ベーン５１０の上昇速度（Ｖｕ、ｏｎ）は０．５Ｖｄ、ｏｎ（ｂｐｓ）であり、よって、前記上下風向ベーン５１０の上昇速度は下降速度よりも２倍遅い。
【００３１】
また、前記左右風向ベーン５１１の揺動速度（Ｖｒ、ｏｎ）は３Ｖｒ．ｏｎであって、左側への揺動速度と右側への揺動速度とが同じで、前記圧縮機５１２が停止しているときより３倍速く揺動する（２１）。
【００３２】
次いで、室内温度が前記設定温度（Ｔｕ）になると、前記圧縮機５１２の駆動を停止させ、よって、室内風量は弱風になり、前記上下風向ベーン５１０の下降速度（Ｖｄ、ｏｆｆ）は１Ｖｄ、ｏｆｆになり、前記上下風向ベーン５１０の上昇速度（Ｖｕ、ｏｆｆ）は２Ｖｄ、ｏｆｆになって、下降速度よりも２倍速く上昇する。また、前記左右風向ベーン５１１の揺動速度（Ｖｒ、ｏｆｆ）は１Ｖｒ．ｏｆｆになる。
【００３３】
その後、節電タイマーを利用して前記空気調和機の初期室内設定温度（Ｔｃ）に該当する運転時間をチェックして、前記初期室内設定温度（Ｔｃ）から１℃ずつ上昇させながら前記圧縮機５１２を制御する。
【００３４】
例えば、前記空気調和機がＴ３（℃）に制御されていると仮定すると、前記制御温度Ｔ３（℃）に対応する時間のｔｉｍｅ３（分）になるまで前記圧縮機５１２を駆動させた後、前記室内温度がＴ５（℃）であるかを判断して、Ｔ５（℃）以下であるとき、前記初期室内設定温度（Ｔｃ）を設定温度（Ｔｕ）よりも１℃上昇させた制御温度（Ｔ４）に対応する時間のｔｉｍｅ４（分）になるまで前記圧縮機５１２を駆動させ、該圧縮機５１２の駆動が終了すると、節電タイマーを利用して前記室内温度がＴ５（℃）であるかを判断して、Ｔ５（℃）でないとき、上述したように室内設定温度を制御温度（Ｔ４）よりも１℃上昇させた温度（Ｔ５）に対応する時間の間前記圧縮機５１２を駆動させる。
【００３５】
前記判断結果、前記初期室内設定温度（Ｔｃ）がＴ５（℃）であるとき、前記圧縮機５１２を停止させ、よって、室内風量は弱風になり、前記上下風向ベーン５１０の下降速度（Ｖｄ、ｏｆｆ）は１Ｖｄ、ｏｆｆになり、前記上下風向ベーン５１０の上昇速度（Ｖｕ、ｏｆｆ）は２Ｖｄ、ｏｆｆになって、下降速度よりも２倍速く上昇する。また、前記左右風向ベーン５１１の揺動速度（Ｖｒ、ｏｆｆ）は１Ｖｒ．ｏｆｆに制御される。
【００３６】
このとき、前記室内温度の上昇可能温度の限界は最大Ｔ５（℃）であるため、前記室内温度はＴ５（℃）以上には上昇せず、前記空気調和機は終了命令が入力されるまで反復して自動的に運転される。ここで、前記室内温度が上昇されるほど運転時間（ｔｉｍｅ）は長くなる。
【００３７】
さらに、図３の（３）に示すように、前記設定温度（Ｔｕ）がＴｌ（℃）より小さい場合は第３領域に対応する節電運転に自動的に制御される。
【００３８】
即ち、前記設定温度（Ｔｕ）に拘わらず初期室内設定温度（Ｔｃ）は無条件にＴｌ（℃）に制御され、該制御温度（Ｔ１）に対応する時間（ｔｉｍｅ１）の間前記圧縮機５１２を駆動させる。前記圧縮機５１２の動作時、該圧縮機５１２の稼動条件によって、室内風量は強風になり、前記上下風向ベーン５１０の下降速度（Ｖｄ、ｏｆｆ）は１Ｖｄ、ｏｆｆになり、前記上下風向ベーン５１０の上昇速度（Ｖｕ、ｏｆｆ）は０．５Ｖｄ、ｏｆｆになって、下降速度よりも２倍遅く上昇する。また、前記左右風向ベーン５１１の揺動速度（Ｖｒ、ｏｆｆ）は３Ｖｒ．ｏｆｆになって、前記圧縮機５１２が停止しているときの速度よりも３倍速く回転される。
【００３９】
このように前記圧縮機５１２が駆動した後、前記室内設定温度がＴ５（℃）であるかを判断して、Ｔ５（℃）以下であるとき、前記初期室内設定温度（Ｔｃ）を設定温度（Ｔｕ）よりも１℃上昇させた制御温度（Ｔ２）に対応する時間のｔｉｍｅ２（分）になるまで前記圧縮機５１２を駆動させ、該圧縮機５１２の駆動が停止すると、節電タイマーを利用して前記室内設定温度がＴ５（℃）であるかを判断して、Ｔ５（℃）でないとき、初期室内設定温度（Ｔｃ）がＴ５（℃）になるまで前記初期室内設定温度（Ｔｃ）を１℃ずつ上昇させながら、上昇させた制御温度に対応する節電時間の間前記圧縮機５１２を駆動させる。
【００４０】
前記室内温度の上昇制御は最大Ｔ５（℃）までであるので、初期室内設定温度（Ｔｃ）がＴ５（℃）になると、前記圧縮機５１２を停止させ、よって、室内風量は弱風になり、前記上下風向ベーン５１０の下降速度（Ｖｄ、ｏｆｆ）は１Ｖｄ、ｏｆｆになり、前記上下風向ベーン５１０の上昇速度（Ｖｕ、ｏｆｆ）は２Ｖｄ、ｏｆｆになって、下降速度よりも２倍速く上昇する。また、前記左右風向ベーン５１１の揺動速度（Ｖｒ、ｏｆｆ）は１Ｖｒ．ｏｆｆに制御する。
【００４１】
前記室内温度はＴ５（℃）以上は上昇されないので、前記空気調和機は終了命令が入力されるまで反復して自動運転を行う。
【００４２】
即ち、室内温度が基準値以上に上昇されると、前記圧縮機５１２の稼動条件によって、室内風量は強風になり、前記上下風向ベーン５１０の下降速度（Ｖｄ、ｏｆｆ）は１Ｖｄ、ｏｆｆになり、前記上下風向ベーン５１０の上昇速度（Ｖｕ、ｏｆｆ）は０．５Ｖｄ、ｏｆｆになって、下降速度よりも２倍遅く上昇する。また、前記左右風向ベーン５１１の揺動速度（Ｖｒ、ｏｆｆ）は３Ｖｒ．ｏｆｆになって、前記圧縮機５１２が停止しているときの速度よりも３倍速く揺動され、前記室内温度が再びＴ５（℃）になると、前記圧縮機５１２が停止される過程を反復して行うようになっている。
【００４３】
以下、本発明に係る空気調和機の上下及び左右風向ベーンの風向制御方法に対し、図６（Ａ）〜（Ｃ）及び図７を参照して説明する。
【００４４】
図６（Ａ）は前記上下及び左右風向ベーン制御速度、（Ｂ）は前記上下風向ベーンの制御速度、（Ｃ）は前記左右風向ベーン制御速度、をそれぞれ示した説明図であり、図７は、前記空気調和機の前記上下風向ベーンの制御による渦流メカニズムを示した説明図である。
【００４５】
即ち、前記上下風向ベーン５１０が下向きのとき、気流の方向は先立った気流の方向になるが、前記上下風向ベーン５１０の方向が変更されて上向きになると、気流の方向は後方で追い付いてくる気流の方向になる。このとき、追い付いてくる気流が先立った気流の終端部を押すため、先立った気流はモーメントを受けて渦流を発生する。
【００４６】
そして、このように発生した渦流が気流の到達距離を短縮させ、また、前記空気調和機の下方側の吸入部を通って室内機ファンが気流を吸込むため、前記渦流により気流の方向が変更されると、前記空気調和機の周囲で気流の循環が一層良好に行われる。
【００４７】
従って、前記圧縮機５１２の稼動時、前記上下風向ベーン５１０の下降速度を上昇速度よりも２倍速く制御し、前記左右風向ベーン５１１の揺動速度を前記圧縮機５１２の停止時よりも３倍速く制御し、また、前記圧縮機５１２の停止時、前記上下風向ベーン５１０の下降速度を上昇速度よりも２倍遅く制御し、前記左右風向ベーン５１１の揺動速度を前記圧縮機５１２の稼動時よりも３倍遅く制御することによって、気流の到達距離を縮小させることができる。
【００４８】
このように風向を制御した結果に対する室内の気流分布状態に対し、図８（Ａ）（Ｂ）に基づいて説明する。
【００４９】
即ち、前記左右風向ベーン５１１が迅速に左右に揺動する場合は、通常よりも速度分布が大きく現れ（図８（Ａ））、任意の地点が気流に露出される時間の合計値としてのＰＤＦ（Ｐｒｏｂａｂｉｌｉｔｙ  Ｄｅｎｓｉｔｙ  Ｆｕｎｃｔｉｏｎ）は、揺動範囲の両方側で大きくなることがわかる。
【００５０】
この現象を室内空間に拡大させると、気流分布が両方側に拡散されて、前記空気調和機の中心部分では気流の到達距離が短縮されることが分かる。即ち、前記左右風向ベーン５１１の揺動速度を速くすると気流到達距離が短縮して、前記空気調和機の周辺だけに気流を発生させる近距離気流を形成することができる。
【００５１】
しかし、このとき、前記左右風向ベーン５１１の最適揺動速度は、空間特性及び駆動するステッピングモータの特性を考慮する必要がある。
【００５２】
図９（Ａ）〜（Ｃ）は、本発明に係る空気調和機の節電制御方法を適用したときと、従来の空気調和機の運転方法を適用したときと、における室内気流の発生及び渦流現象を比較した分布図で、上下及び左右風向ベーンの揺動がない場合は、図９（Ａ）に示したように、通常のジェットの渦流以外の渦流は発生しない。
【００５３】
また、従来のように前記上下及び左右風向ベーンが単純にオートスイングを行う場合は、図９（Ｂ）に示したように、前記上下及び左右風向ベーンの揺動方向が変更されるときに分散フロー（Ｓｅｐａｒａｔｉｏｎ  Ｆｌｏｗ）が観察されるが、慣性力が強いため拡大されない。
【００５４】
一方、本発明に係る節電制御方法を適用した場合は、図９（Ｃ）に示したように、前記左右及び上下風向ベーンの揺動方向が変更されるときに発生する渦流が拡大されて吸入口に気流が吸込まれるため、全体的に気流が拡散されることを抑制する。
【００５５】
以下、このような気流制御による効果に対し、図１０及び図１１（Ａ）及び（Ｂ）を参照して説明する。
【００５６】
図１０は、本発明に係る空気調和機の節電制御方法を適用したとき、人体の快適感及び温冷感の感知時間の実験結果を示したグラフで、図１１（Ａ）及び（Ｂ）は、本発明に係る空気調和機の節電制御方法を適用したときの室内温度と節電時間との特性を示したグラフである。
【００５７】
図示したように、空気調和機が稼働中の室内に人間が入って所定時間が経過すると、人体は寒冷感を感じ、引いては不快感を感じるようになる。
【００５８】
しかし、室内温度が高い場合は、寒冷感を感じるまでに要する時間が長くなり、近距離気流制御により気流感が向上すると、人体の温冷感及び快適感に良い影響を与える。このとき、前記温冷感及び快適感を感じる温度は人によって相違する。
【００５９】
そこで、空気調和機を稼働したとき、人体が快適感及び温冷感を感じる限界時間を求めるために、国際標準技法に従って、室内温度がＴ４（℃）であるときの冷感は“暑い”から“寒い”までの７段階に、快適感は“非常に快適である”から“非常に不快である”までの７段階に区分して、被験者８人に１０分ごとに設問を行って平均値を求めた。
【００６０】
温冷感は、“やや肌寒い”と応答した地点の“−１”を基準にして時間を求め、且つ、快適感は、快適感が頂点に到達したときの時間を求めて、それぞれの時間を分析及び比較して、室内温度Ｔ４（℃）における節電運転時間ｔｉｍｅ４（分）を求めて、前記室内温度に対応する節電時間として特性グラフに表した。
【００６１】
図１２（Ａ）及び（Ｂ）及び図１３（Ａ）及び（Ｂ）は、本発明の節電制御方法と、従来の運転方法と、により空気調和機を稼働したとき、室内の上下、左右温度差を比較して示したもので、室内の片隅に前記空気調和機を設置した後、一般冷房で運転した場合（従来）よりも本発明に係る節電制御運転を行った場合に、上下方向温度差及び左右方向温度差がそれぞれ上昇した。
【００６２】
即ち、点線部内（居間部分）における左右方向温度差の場合（図１２（Ａ）及び（Ｂ））、従来の一般冷房で運転した場合は４．７  ℃、本発明の節電制御運転を行った場合は２．８  ℃で、冷房効果は約４１％が改善され、また、点線部内（居間部分）における上下方向温度差の場合（図１３（Ａ）及び（Ｂ））も、３．１  ℃から１．５  ℃に冷房効果が約５２％程度が改善された。
【００６３】
このような節電運転の効果は、近距離気流による制限冷房の結果、点線部内と点線部外との温度差が約１℃ほどであるため、エネルギーの節減効果もある。
【００６４】
また、本発明に係る空気調和機の節電制御方法を適用したときの節電効果として、図１４に示したように、従来の一般冷房の場合、前記空気調和機の設置された場所を設定温度に維持するためには５．０６４ｋｗｈの電力が消費されるが、本発明の節電運転を行う場合は３．４１９ｋｗｈの電力が消費されるので、従来の一般冷房よりも約３２．５％のエネルギーを節減し得る効果がある。
【００６５】
一方、前記空気調和機を利用して暖房を行う場合は、前記圧縮機５１２の稼動中には前記上下風向ベーン５１０の上向き速度を下向き速度よりも速く駆動させ、前記圧縮機５１２の停止中には前記上下風向ベーン５１０の上向き速度を下向き速度よりも遅く駆動させるので、前記冷房を行うときと同様に電力消費を低減し得る効果がある。
【００６６】
【発明の効果】
以上説明したように、本発明に係る空気調和機の節電制御方法においては、圧縮機、上下風向ベーン及び左右風向ベーンを可変的に制御して前記空気調和機から放出される気流を近距離制御し、よって、前記空気調和機の周辺を制限的に冷房して使用者所望の設定温度に迅速に到達させるので節電効果を図り得るという効果がある。
【００６７】
また、前記近距離気流は変動気流であるため気流感が向上されて快適感が向上され、左右方向温度差及び上下方向温度差が改善されるので局部的不快感が除去され、更に、人体の快適感及び温冷感を考慮して室内温度を自動に制御するため、在室者の快適感を最適に維持しながら電力の消費を低減し得るという効果がある。
【図面の簡単な説明】
【図１】本発明に係る空気調和機の構成を示したブロック図である。
【図２】本発明に係る空気調和機の節電制御方法において、上下及び左右風向ベーンを制御する過程を示したフローチャート（その１）である。
【図３】本発明に係る空気調和機の節電制御方法において、上下及び左右風向ベーンを制御する過程を示したフローチャート（その２）である。
【図４】本発明に係る空気調和機の節電制御方法において、上下及び左右風向ベーンを制御する過程を示したフローチャート（その３）である。
【図５】本発明に係る空気調和機の節電制御方法において、上下及び左右風向ベーンを制御する過程を示したフローチャート（その４）である。
【図６】（Ａ）〜（Ｃ）は本発明に係る空気調和機の上下及び左右風向ベーンの制御方法を示した図で、（Ａ）は上下及び左右風向ベーンの制御速度を示したテーブル、（Ｂ）は上下風向ベーンの制御方法を示した説明図、及び（Ｃ）は左右風向ベーン制御方法を示した説明図である。
【図７】本発明に係る上下風向ベーンを制御するとき発生する渦流メカニズムを示した概略説明図である。
【図８】（Ａ）及び（Ｂ）は本発明に係る左右風向ベーンにより発生する気流の分布を示した説明図で、（Ａ）は左右風向ベーンにより発生する気流の吐出速度分布を示した概略説明図、（Ｂ）は左右風向ベーンにより発生する室内気流分布を示した概略説明図である。
【図９】（Ａ）〜（Ｃ）は本発明に係る空気調和機の節電制御方法を適用したときと、従来の運転方法を適用したときと、における室内気流の発生及び渦流現象を示した分布図である。
【図１０】本発明に係る空気調和機の節電制御方法を適用したとき、人体の快適感及び温冷感の感知時間の実験結果を示したグラフである。
【図１１】（Ａ）及び（Ｂ）は本発明に係る空気調和機を稼働した場合の特性を示したグラフ及びテーブルで、（Ａ）は室内温度及び節電時間の特性曲線を示したグラフ、（Ｂ）は節電制御タイムを示したテーブルである。
【図１２】（Ａ）及び（Ｂ）は本発明の節電制御方法と従来の運転方法とにより空気調和機を稼働したとき、室内の左右方向温度差を比較して示した特性図である。
【図１３】（Ａ）及び（Ｂ）は本発明の節電制御方法と従来の運転方法とにより空気調和機を稼働したとき、室内の上下方向温度差を比較して示した特性図である。
【図１４】本発明に係る空気調和機の節電制御方法を適用したときと従来方法との電力消費を比較して示したグラフである。
【図１５】一般の冷凍サイクルを示した構成図である。
【図１６】従来の空気調和機の内部を示した概略構成図である。
【図１７】従来の空気調和機から放出される冷房気流の室内分布状態を示した説明図である。
【図１８】（Ａ）及び（Ｂ）は従来空気調和機の上下／左右ベーンの揺動角度を示した図で、（Ａ）は上下風向ベーンの揺動角度、（Ｂ）は左右風向ベーンの揺動角度を示した図である。
【符号の説明】
５０１…室内温度センサー部
５０２…圧縮機運転状態感知部
５０３…温度制御時間チェック部
５０４…マイクロコンピュータ
５０５…室内ファン駆動部
５０６…上下風向ベーン駆動部
５０７…左右風向ベーン駆動部
５０８…圧縮機駆動部
５０９…室内ファン
５１０…上下風向ベーン
５１１…左右風向ベーン
５１２…圧縮機
【図１】
0003626450.tif 000002
【図２】
0003626450.tif 000003
【図３】
0003626450.tif 000004
【図４】
0003626450.tif 000005
【図５】
0003626450.tif 000006
【図６】
0003626450.tif 000007
【図７】
0003626450.tif 000008
【図８】
0003626450.tif 000009
【図９】
0003626450.tif 000010
【図１０】
0003626450.tif 000011
【図１１】
0003626450.tif 000012
【図１２】
0003626450.tif 000013
【図１３】
0003626450.tif 000014
【図１４】
0003626450.tif 000015
【図１５】
0003626450.tif 000016
【図１６】
0003626450.tif 000017
【図１７】
0003626450.tif 000018
【図１８】
0003626450.tif 000019